【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ヘッドマウントディスプレイで使用するための遮音性イヤーカバーアセンブリであって、
第１部分と、
第２部分と、
前記第１部分を前記第２部分に移動可能に結合する回転可能なカップリングと、
前記ヘッドマウントディスプレイの一部を受け入れるサイズと形状の受容包囲体と、
を備え、
前記第１部分と前記第２部分とは、前記回転可能なカップリングまわりに第１構成と第２構成とで調整可能であり、
前記第１構成では、前記第１部分と前記第２部分とは、互いに対して第１の位置にあり、
前記第２構成では、前記第１部分と前記第２部分とは、互いに対して第２の位置にあり、
前記ヘッドマウントディスプレイが前記アセンブリに結合され、前記ヘッドマウントディスプレイの前記一部が前記受容包囲体内に配置されたときに、前記ヘッドマウントディスプレイの前記一部は固定位置に維持され、前記第１部分と前記第２部分とが前記第１構成と前記第２構成とに動かされる、
遮音性イヤーカバーアセンブリ。
【請求項２】
前記第２部分に結合されたレバーであって、前記第１構成と前記第２構成とに調整するために、前記第１部分に対する前記第２部分の位置を調整するために使用可能なレバーを更に備える、請求項１に記載のアセンブリ。
【請求項３】
前記第２部分は、前記受容包囲体の少なくとも一部を形成する凹状外形を含み、前記ヘッドマウントディスプレイが前記アセンブリに結合され、前記ヘッドマウントディスプレイの前記一部が前記受容包囲体内に配置されたときに、前記第２構成は、前記第１構成よりも前記ヘッドマウントディスプレイの前記一部をより完全に囲む、請求項１に記載のアセンブリ。
【請求項４】
前記遮音性イヤーカバーアセンブリが前記ヘッドマウントディスプレイに結合されているときに、前記第１構成は、前記第２部分が持ち上げられた位置にあり、前記第２構成は、前記第２部分が下げられた位置にあり着用者により大きな遮音性を提供する、請求項１に記載のアセンブリ。
【請求項５】
固定部品を更に備え、前記第１部分と前記第２部分とは、前記第２構成で前記固定部品を使用して解放可能に固定可能である、請求項１に記載のアセンブリ。
【請求項６】
ヘッドマウントディスプレイで使用するための遮音性イヤーカバーアセンブリであって、
前記ヘッドマウントディスプレイおよび／または前記ヘッドマウントディスプレイに結合されたヘッドウェアの部品に結合されるように適合された取付構造を備える第１部分と、
前記ヘッドマウントディスプレイの着用者に選択的な防音性を提供するように適合された遮音部分を備える第２部分であって、前記遮音部分は、耳を囲む部分に固定されたハウジング部分を備えると共に、前記ヘッドマウントディスプレイの一部を少なくとも部分的に囲むようなサイズと形状の湾曲した外形を備える、第２部分と、
前記遮音部分に結合され、前記遮音部分が前記着用者の耳に対して第１の位置と第２の位置とに回転することを可能にする回転可能なカップリングと、
を備え、
前記第２の位置では、前記遮音部分は、前記着用者の前記耳を少なくとも部分的に囲むように適合されており、
前記第１部分が前記ヘッドマウントディスプレイおよび／または前記ヘッドウェアの部品に結合され、前記ヘッドマウントディスプレイの前記一部が前記湾曲した外形によって少なくとも部分的に囲まれているときに、前記ヘッドマウントディスプレイの前記一部が固定位置に維持され、前記遮音部分が前記第１の位置と前記第２の位置とに動かされる、
遮音性イヤーカバーアセンブリ。
【請求項７】
前記第２の位置が下げられた位置を含み、前記第１の位置が持ち上げられた位置を含み、前記第２の位置では、前記第１の位置よりも、前記遮音部分が、前記湾曲した外形によって少なくとも部分的に囲まれた前記ヘッドマウントディスプレイの前記一部をより完全に囲む、請求項６に記載のアセンブリ。
【請求項８】
前記遮音部分に結合されたレバーを更に備え、前記レバーは、前記第１の位置と前記第２の位置とに前記遮音部分を調整するために使用可能である、請求項６に記載のアセンブリ。
【請求項９】
前記遮音部分を前記第２の位置に解放可能に固定するために使用可能な固定部品をさらに備える、請求項６に記載のアセンブリ。
【請求項１０】
前記固定部品が、ラッチ、クリップ、及びストラップのうちの少なくとも１つを備える、請求項９に記載のアセンブリ。
【請求項１１】
前記固定部品がラッチを備える、請求項１０に記載のアセンブリ。
【請求項１２】
前記ヘッドマウントディスプレイの前記一部が前記湾曲した外形によって少なくとも部分的に受け入れられて囲まれるときに、前記ヘッドマウントディスプレイの前記一部は、前記アセンブリの前記第１部分と前記第２部分との間に少なくとも部分的に配置される、請求項６に記載のアセンブリ。
【請求項１３】
ヘッドマウントディスプレイ用の遮音性イヤーカバーアセンブリであって、
前記遮音イヤーカバーアセンブリを前記ヘッドマウントディスプレイおよび／または前記ヘッドマウントディスプレイに結合されたヘッドウェアの部品に取り付けるために使用可能な取付構造を備える第１部分と、
遮音部分を含む第２部分と、
前記第１部分を前記第２部分に移動可能に結合するカップリングであって、前記第１部分と前記第２部分とを第１構成と第２構成とに互いに対して動かすことを可能にするカップリングと、
を備え、
前記第１構成では、前記第２部分は、前記第１部分に対して第１の位置にあり、
前記第２構成では、前記第２部分は、前記第１部分に対して第２の位置にあり、
前記遮音部分は、前記遮音性イヤーカバーアセンブリがそれに結合され、前記第１部分と前記第２部分とが前記第２構成にあるときに、前記ヘッドマウントディスプレイの少なくとも一部を受け入れて囲むようなサイズおよび形状の凹状外形を含み、
前記ヘッドマウントディスプレイの前記少なくとも一部が前記凹状外形によって受け入れられて囲まれるときに、前記第１部分と前記第２部分とが前記第２構成にあるときには、前記第１部分と前記第２部分とが前記第１構成にあるときよりも、前記遮音部分は、前記ヘッドマウントディスプレイの前記少なくとも一部をより完全に囲む、
遮音性イヤーカバーアセンブリ。
【請求項１４】
前記カップリングが回転可能なカップリングを備える、請求項１３に記載のアセンブリ。
【請求項１５】
前記遮音性イヤーカバーアセンブリが前記ヘッドマウントディスプレイに結合され、前記第１部分と前記第２部分とが前記第２構成にあるとき、前記ヘッドマウントディスプレイの前記部分は、少なくとも前記第１部分と前記第２部分との間に部分的に囲まれる、請求項１３に記載のアセンブリ。
【請求項１６】
前記遮音部分に結合されたレバーを更に備え、前記レバーは、前記第１構成と前記第２構成との調整を提供するために前記遮音部分の位置を調整するために使用可能である、請求項１３に記載のアセンブリ。
【請求項１７】
前記第２構成において前記第１部分と前記第２部分とを互いに解放可能に固定するように適合された固定部品をさらに備える、請求項１３に記載のアセンブリ。
【請求項１８】
前記固定部品が、ラッチ、クリップ、及びストラップのうちの少なくとも１つを備える、請求項１７に記載のアセンブリ。
【請求項１９】
前記アセンブリに結合された１つ又は複数のストラップをさらに備え、前記１つ又は複数のストラップは、装着構成において前記アセンブリを支持するように適合されている、請求項１に記載のアセンブリ。
【手続補正２】
【補正対象書類名】明細書
【補正対象項目名】００６６
【補正方法】変更
【補正の内容】
【００６６】
本技術は、あらゆる点で限定的ではなく例示的であることを意図した特定の実施形態に関して説明されてきた。本技術が属する技術分野の当業者には、その範囲から逸脱することなく代替の実施形態が明らかになるであろう。要素の様々な組み合わせ、ならびに図示されていない要素の使用も可能であり、企図されている。
本願発明の実施形態は、例えば、以下の如くである。
［実施形態１］
ベースと、第１の端部および第２の端部を有するディスプレイブームであって、前記第２の端部で前記ベースに移動可能に結合されているディスプレイブームと、前記ディスプレイブームの前記第１の端部に結合されたディスプレイモジュールと、前記ディスプレイモジュールに通信可能に結合された１つ又は複数のコンピュータプロセッサと、電源と、前記ディスプレイモジュール、前記ディスプレイブーム、前記１つ又は複数のコンピュータプロセッサ、および前記電源を、ヘッドウェアに取り外し可能に固定するための取付機構と、を備え、前記取付機構は、（１）１つ又は複数の硬質カップリング要素と、（２）ヘッドウェアのアイテムのまわりに固定するために前記１つ又は複数の硬質カップリング要素に結合された１つ又は複数の固定ストラップと、を備える、ヘッドマウントディスプレイ。
［実施形態２］
前記ヘッドウェアのアイテムは、１つ又は複数の縁部を有するヘルメットであり、前記１つ又は複数の硬質カップリングは、前記ヘルメットの前記１つ又は複数の縁部の少なくとも１つと係合するための凹状チャネルをそれぞれ含む、請求項１に記載のヘッドマウントディスプレイ。
［実施形態３］
前記１つ又は複数の硬質カップリング要素のうちの少なくとも１つが、ばね式テンション機構、ねじ式テンション機構、および弾性変形可能なテンション機構のうち少なくとも１つを備えるテンション機構を含む、請求項２に記載のヘッドマウントディスプレイ。
［実施形態４］
前記１つ又は複数の固定ストラップは、硬質ストラップと、固定ストラップと、弾性復元力を有する非硬質ストラップとのうちの少なくとも１つを備える、請求項１に記載のヘッドマウントディスプレイ。
［実施形態５］
前記１つ又は複数のコンピュータプロセッサに通信可能に結合されると共に前記電源に接続されたカメラと、前記１つ又は複数のコンピュータプロセッサに通信可能に結合されると共に前記ディスプレイモジュールに結合されたマイクロフォンと、前記１つ又は複数のコンピュータプロセッサに通信可能に結合されると共に前記電源に接続されて無線通信を提供するように構成された通信コンポーネントと、を更に備える請求項１に記載のヘッドマウントディスプレイ。
［実施形態６］
前記カメラは、前記ディスプレイブーム、前記ベース、および前記１つ又は複数の硬質カップリングのうちの少なくとも１つに固定され、前記通信コンポーネントは、セルラーネットワーク、Ｗｉ−Ｆｉ、Ｂｌｕｅｔｏｏｔｈ、および衛星ネットワークの少なくとも１つを介して無線通信を提供する請求項５に記載のヘッドマウントディスプレイ。
［実施形態７］
前記ディスプレイブームは、前記ベースに取り付けられた可動カップリングまわりに第１の位置と第２の位置とで移動可能であり、前記ディスプレイブームは、前記ヘッドウェアのアイテムの側部または前部に配置される、請求項１に記載のヘッドマウントディスプレイ。
［実施形態８］
前記ディスプレイモジュールは、液晶ディスプレイ（ＬＣＤ）、発光ダイオード（ＬＥＤ）ディスプレイ、液晶ディスプレイ（ＬＣＤ）ディスプレイ、有機発光ダイオード（ＯＬＥＤ）ディスプレイ、およびデジタルライトプロセッシング（ＤＬＰ）ディスプレイのうち少なくとも１つを備えるマイクロディスプレイと、導波路光学素子と、のうちの少なくとも１つを備える、請求項１に記載のヘッドマウントディスプレイ。
［実施形態９］
前記取付機構が、前記１つ又は複数の固定ストラップに結合されたストラップ式テンション機構をさらに含み、前記ストラップ式テンション機構が、前記１つ又は複数の固定ストラップに第１の円周を提供する第１の構成と、前記１つ又は複数の固定ストラップに第２の円周を提供する第２の構成とで、動くように構成される請求項１に記載のヘッドマウントディスプレイ。
［実施形態１０］
前記１つ又は複数のコンピュータプロセッサに通信可能に結合されると共に前記電源に接続された位置追跡コンポーネントをさらに備え、前記位置追跡コンポーネントは、全地球測位システム（ＧＰＳ）信号、セルラーネットワークを介した無線通信三角測量、及びＷｉ−Ｆｉネットワークを介した無線通信三角測量のうち少なくとも１つを使用して前記ヘッドマウントディスプレイの位置を追跡するように構成される、請求項１に記載のヘッドマウントディスプレイ。
［実施形態１１］
第１の端部および第２の端部を備えるディスプレイブームと、前記第１の端部と前記第２の端部との間で前記ディスプレイブームに結合されるディスプレイモジュールと、前記ディスプレイモジュールに通信可能に結合された１つ又は複数のコンピュータプロセッサと、前記１つ又は複数のコンピュータプロセッサと前記ディスプレイモジュールとに接続されている電源と、前記ディスプレイモジュールを取り外し可能に固定する取付機構と、を備え、前記取付機構は、（１）１つ又は複数の硬質カップリング要素と、（２）ヘッドウェアのアイテムまわりに固定するために前記１つ又は複数の硬質カップリング要素に結合された１つ又は複数の固定ストラップと、を備え、前記１つ又は複数の硬質なカップリング要素は、前記ディスプレイブームの前記第１の端部に固定された第１の回転可能カップリングを有する第１の硬質カップリング要素と、前記ディスプレイブームの前記第２の端部に固定された第２の回転可能カップリングを有する第２の硬質カップリング要素とを少なくとも備える、ヘッドマウントディスプレイ。
［実施形態１２］
前記ヘッドウェアのアイテムは、１つ又は複数の縁部を有するヘルメットであり、前記１つ又は複数の硬質カップリングは、前記ヘルメットの前記１つ又は複数の縁部の少なくとも１つと係合するための凹状チャネルをそれぞれ含み、前記１つ又は複数の硬質なカップリング要素のうちの少なくとも１つが、（１）ばね式テンション機構、（２）ねじ式テンション機構、および（３）弾性変形可能なテンション機構のうちの少なくとも１つを備えるテンション機構を含む、請求項１１に記載のヘッドマウントディスプレイ。
［実施形態１３］
前記ディスプレイブームに結合されて前記１つ又は複数のコンピュータプロセッサに通信可能に結合されると共に前記電源に接続されたカメラと、前記１つ又は複数のコンピュータプロセッサに通信可能に結合されると共に前記ディスプレイモジュールに配置されたマイクロフォンと、前記１つ又は複数のコンピュータプロセッサに通信可能に結合されて無線通信を提供するように構成された通信コンポーネントと、を更に備える請求項１３に記載のヘッドマウントディスプレイ。
［実施形態１４］
前記ディスプレイブームは、前記第１および第２の回転可能カップリングのまわりで第１の位置と第２の位置とで移動可能であり、前記第１の位置と前記第２の位置との少なくとも一方はユーザが設定可能である請求項１１に記載のヘッドマウントディスプレイ。
［実施形態１５］
前記ディスプレイモジュールは、前記ディスプレイブームに対して調整可能に可動であり、前記ディスプレイブームに対する前記ディスプレイモジュールの位置を保持するためのロック機構をさらに備える、請求項１１に記載のヘッドマウントディスプレイ。
［実施形態１６］
第１の端部および第２の端部を備えるディスプレイブームと、前記第１の端部で前記ディスプレイブームに結合されているディスプレイモジュールと、前記第２の端部で前記ディスプレイブームに結合された遮音性イヤーカバーアセンブリであって、互いに移動可能に結合された第１部分と第２部分とを備え、第１構成と第２構成とで調整可能であり、前記第１の構成では、前記第１部分と前記第２部分とは互いに対して第１の位置にあり、前記第２の構成では、前記第１部分と前記第２部分とは互いに対して第２の位置にある、遮音性イヤーカバーと、前記ディスプレイモジュールに通信可能に結合された１つ又は複数のコンピュータプロセッサと、前記１つ又は複数のコンピュータプロセッサと前記ディスプレイモジュールとに接続された電源と、を備えるヘッドマウントディスプレイ。
［実施形態１７］
前記遮音性イヤーカバーアセンブリは、前記第１部分と前記第２部分とに取り付けられた回転可能カップリングと、前記第１部分に対して前記第２部分を移動可能に調整するレバーと、を備え、前記ディスプレイブームの前記第２の端部は、（１）前記遮音性イヤーカバーアセンブリを通って延びる取付部分と、（２）前記遮音性イヤーカバーの前記第１部分との少なくとも一方に取り付けられる、請求項１６に記載のヘッドマウントディスプレイ。
［実施形態１８］
前記遮音性イヤーカバーアセンブリをヘッドウェアのアイテムに固定するための取付機構をさらに備え、前記取付機構は、凹部チャネル、１つ又は複数の固定ストラップ、及び前記ヘッドウェアのアイテムのハーネス構造に係合するための１つ又は複数のハーネスカップリング要素をそれぞれ有する１つ又は複数の構成カップリング要素の少なくとも１つを備える、請求項１６に記載のヘッドマウントディスプレイ。
［実施形態１９］
前記１つ又は複数のコンピュータプロセッサに通信可能に結合されると共に前記電源に接続されたカメラと、前記１つ又は複数のコンピュータプロセッサに通信可能に結合されると共に前記ディスプレイモジュールに結合されるマイクロフォンと、前記１つ又は複数のコンピュータプロセッサに通信可能に結合されて無線通信を提供するように構成された通信コンポーネントと、を更に備え、前記カメラ、前記通信コンポーネント、および前記１つ又は複数のコンピュータプロセッサは、電子モジュール内に統合されている、請求項１６に記載のヘッドマウントディスプレイ。
［実施形態２０］
前記ディスプレイモジュールを前記ディスプレイブームに固定するための取り外し可能なカップリングをさらに備え、前記取り外し可能なカップリングは、機械的カップリングと、磁気的カップリングとの少なくとも一方を備える、請求項１６に記載のヘッドマウントディスプレイ。